(57)【要約】【課題】表示画面の任意の領域に映像を表示しつつ、表示画面を構成する複数の表示装置全体での消費電力を抑制する。【解決手段】映像表示システム１０は、表示装置１０１〜１１５がそれぞれ有する複数の単位画面５０が配列されて構成される表示画面１００ａに映像を表示する映像表示システムである。映像表示システム１０は使用エリア設定部２０２を備える。使用エリア設定部２０２は、表示画面１００ａにおける映像の表示に使用する使用エリア１００ｂを、単位画面５０の区切りによらず任意に設定する。単位画面５０の少なくとも一部の領域が、使用エリア設定部２０２で設定される使用エリア１００ｂ内となる表示装置は、表示画面１００ａに表示される映像を当該使用エリア１００ｂに表示する。単位画面５０の全ての領域が、使用エリア設定部２０２で設定される使用エリア１００ｂ外となる表示装置は、当該単位画面５０を消灯する。【選択図】図１
2018180431.tif 000002
【特許請求の範囲】
【請求項１】
複数の表示装置がそれぞれ有する画面を単位画面とし、前記複数の表示装置の複数の前記単位画面が配列されて構成される表示画面に映像を表示する映像表示システムであって、
前記表示画面における前記映像の表示に使用する使用エリアを、前記単位画面の区切りによらず任意に設定する、使用エリア設定部を備え、
前記単位画面の少なくとも一部の領域が、前記使用エリア設定部で設定される前記使用エリア内となる前記表示装置は、前記表示画面に表示される前記映像を当該使用エリアに表示し、
前記単位画面の全ての領域が、前記使用エリア設定部で設定される前記使用エリア外となる前記表示装置は、当該単位画面を消灯する、映像表示システム。
【請求項２】
請求項１に記載の映像表示システムであって、
前記単位画面の一部の領域が、前記使用エリア設定部で設定される前記使用エリア外となる前記表示装置は、当該一部の領域に黒映像を表示する、映像表示システム。
【請求項３】
請求項２に記載の映像表示システムであって、
前記表示装置における前記黒映像を表示時の消費電力は、前記黒映像以外の映像を表示時の消費電力よりも低い、映像表示システム。
【請求項４】
請求項１から請求項３のいずれか一項に記載の映像表示システムであって、
前記単位画面の少なくとも一部の領域が、前記使用エリア設定部で設定される前記使用エリア内となる前記表示装置は、前記表示画面全体に表示される前記映像が当該使用エリアの大きさに合わせて縮小された映像を当該使用エリアに表示する、映像表示システム。
【請求項５】
請求項１から請求項３のいずれか一項に記載の映像表示システムであって、
前記映像における表示する部分となる表示エリアを設定する、表示エリア設定部をさらに備え、
前記単位画面の少なくとも一部の領域が、前記使用エリア設定部で設定される前記使用エリア内となる前記表示装置は、前記映像における前記表示エリア設定部で設定される前記表示エリアの映像が当該使用エリアの大きさに合わせて処理された映像を当該使用エリアに表示する、映像表示システム。
【請求項６】
請求項１から請求項５のいずれか一項に記載の映像表示システムであって、
ユーザの操作を検出する操作検出部をさらに備え、
前記使用エリア設定部は、前記操作検出部が検出する前記ユーザの操作に基づいて前記使用エリアを設定する、映像表示システム。
【請求項７】
請求項５に記載の映像表示システムであって、
ユーザの操作を検出する操作検出部をさらに備え、
前記表示エリア設定部は、前記操作検出部が検出する前記ユーザの操作に基づいて前記表示エリアを設定する、映像表示システム。
【請求項８】
請求項１から請求項７のいずれか一項に記載の映像表示システムであって、
前記使用エリアを示す情報を記憶する記憶部をさらに備え、
前記使用エリア設定部は、前記記憶部に記憶された前記情報に基づいて前記使用エリアを設定する、映像表示システム。
【請求項９】
複数の表示装置がそれぞれ有する画面を単位画面とし、前記複数の表示装置の複数の前記単位画面が配列されて構成される表示画面に映像を表示する映像表示方法であって、
（ａ）前記表示画面における前記映像の表示に使用する使用エリアを、前記単位画面の区切りによらず任意に設定する工程と、
（ｂ）前記単位画面の少なくとも一部の領域が、前記工程（ａ）において設定される前記使用エリア内となる前記表示装置が、前記表示画面に表示される前記映像を当該使用エリアに表示する工程と、
（ｃ）前記単位画面の全ての領域が、前記工程（ａ）において設定される前記使用エリア外となる前記表示装置が、当該単位画面を消灯する工程と
を備える、映像表示方法。
【発明の詳細な説明】
【技術分野】
【０００１】
本発明は、複数の表示装置がそれぞれ有する複数の画面が配列されて構成される表示画面に映像を表示する映像表示システムおよび映像表示方法に関するものである。
【背景技術】
【０００２】
複数の表示装置を格子状に配置することにより、複数の表示装置がそれぞれ有する複数の画面が配列されて構成される一つの大画面に映像を表示可能にする、映像表示システム（「ディスプレイウォールシステム」とも呼ばれる）が製品化され、監視制御システムの分野において広く用いられている。
【０００３】
この映像表示システムは、２４時間３６５日の運用である場合も多いため、システム全体の省電力性が求められる。例えば、映像表示システムが監視制御システムとして用いられ、夜間等に監視員の人数が減るような場合には、広大なディスプレイウォールシステム全体を稼動させておくのは電力の無駄となる。
【０００４】
特許文献１には、複数の表示装置を省電力制御するための技術が開示されている。具体的には、カメラ等によりユーザの視線検出を行い、ある画面からユーザの視線が外れたことを検出した場合に、表示装置の電源を切る等の省電力制御を行っている。
【先行技術文献】
【特許文献】
【０００５】
【特許文献１】特開２００１−３５０５４９号公報
【発明の概要】
【発明が解決しようとする課題】
【０００６】
しかしながら、特許文献１に記載の技術では、カメラ等によりユーザの視線検出を行うことによって表示装置の省電力制御を行うため、カメラ等の特別な外部装置が必須となり、コストが高くなるという問題点があった。また、登録されたユーザの視線が画面から外れたときに表示装置に映像が表示されなくなることから、他のユーザが映像を確認することができないという問題点があった。
【０００７】
そこで本発明は、上記のような問題点に鑑みてなされたものであって、カメラ等の特別な外部装置を用いない比較的簡単な構成によって、表示画面の任意の領域に映像を表示しつつ、表示画面を構成する複数の表示装置全体での消費電力を抑制することができる映像表示システム、および映像表示方法を提供することを目的とする。
【課題を解決するための手段】
【０００８】
本発明に係る映像表示システムは、複数の表示装置がそれぞれ有する画面を単位画面とし、複数の表示装置の複数の単位画面が配列されて構成される表示画面に映像を表示する映像表示システムである。映像表示システムは使用エリア設定部を備える。使用エリア設定部は、表示画面における映像の表示に使用する使用エリアを、単位画面の区切りによらず任意に設定する。単位画面の少なくとも一部の領域が、使用エリア設定部で設定される使用エリア内となる表示装置は、表示画面に表示される映像を当該使用エリアに表示する。単位画面の全ての領域が、使用エリア設定部で設定される使用エリア外となる表示装置は、当該単位画面を消灯する。
【０００９】
また、本発明に係る映像表示方法は、複数の表示装置がそれぞれ有する画面を単位画面とし、複数の表示装置の複数の単位画面が配列されて構成される表示画面に映像を表示する映像表示方法である。映像表示方法は、（ａ）表示画面における映像の表示に使用する使用エリアを、単位画面の区切りによらず任意に設定する工程と、（ｂ）単位画面の少なくとも一部の領域が、工程（ａ）において設定される使用エリア内となる表示装置が、表示画面に表示される映像を当該使用エリアに表示する工程と、（ｃ）単位画面の全ての領域が、工程（ａ）において設定される使用エリア外となる表示装置が、当該単位画面を消灯する工程とを備える。
【発明の効果】
【００１０】
本発明によれば、単位画面の少なくとも一部が単位画面の区切りによらず任意に設定される使用エリア内となる表示装置は、表示画面に表示される映像を当該使用エリアに表示する。また、単位画面の全ての領域が当該使用エリア外となる表示装置は、当該単位画面を消灯する。これにより、特別な外部装置を用いない比較的簡単な構成によって、表示画面に表示される映像を任意に設定される使用エリアに表示しつつ、表示画面を構成する複数の表示装置全体での消費電力を抑制することができる。
【図面の簡単な説明】
【００１１】
【図１】本発明の実施の形態１に係る映像表示システムの構成を示すブロック図である。
【図２】本発明の実施の形態１に係るディスプレイウォールが表示画面全体に映像を表示する様子を示す図である。
【図３】本発明の実施の形態１に係るディスプレイウォールが使用エリアに映像を表示する様子を示す図である。
【図４】本発明の実施の形態１に係る使用エリア設定画面を示す図である。
【図５】本発明の実施の形態１に係るディスプレイウォールが使用エリアに映像を表示する動作を示すフローチャートである。
【図６】本発明の実施の形態１に係る使用エリア設定画面における設定エリアの位置および大きさを示す図である。
【図７】本発明の実施の形態１に係る表示画面における使用エリアの位置および大きさを示す図である。
【図８】本発明の実施の形態２に係る映像表示システムの構成を示すブロック図である。
【図９】本発明の実施の形態２に係る表示エリアについて説明するための図である。
【図１０】本発明の実施の形態２に係るディスプレイウォールが使用エリアに表示エリアの映像を表示する様子を示す図である。
【発明を実施するための形態】
【００１２】
＜実施の形態１＞
＜映像表示システムの構成＞
図１は、本発明の実施の形態１に係る映像表示システム１０の構成の一例を示すブロック図である。図１に示されるように、映像表示システム１０は、表示装置１００および制御装置２００を備える。表示装置１００は、複数の表示装置が格子状に配置され、複数の表示装置がそれぞれ有する複数の画面が配列されて構成される表示画面１００ａに映像を表示する表示装置である。このような複数の表示装置によって構成される表示装置は「ディスプレイウォール」とも呼ばれる。以下、表示装置１００を「ディスプレイウォール１００」とも呼ぶ。
【００１３】
本実施の形態では、図１に示されるように、ディスプレイウォール１００は、１５台の表示装置１０１〜１１５が３行×５列の格子状に配置されて構成されている。例えば、表示装置１０１〜１１５のそれぞれは、１９２０×１０８０ピクセルの解像度の画面５０（以下、「単位画面５０」とも呼ぶ）を有しており、ディスプレイウォール１００の表示画面１００ａは９６００×３２４０ピクセルの解像度となっている。ディスプレイウォール１００は、制御装置２００に制御されて表示画面１００ａに映像を表示する。
【００１４】
制御装置２００は、処理回路２１０、操作Ｉ／Ｆ２１１、メモリ２１２、および表示装置２１６を備える。
【００１５】
操作Ｉ／Ｆ２１１は、例えば、マウスあるいはキーボードなどである。映像表示システム１０のユーザは、操作Ｉ／Ｆ２１１を用いて制御装置２００に対して各種操作を行うことができる。表示装置２１６は、ユーザが操作Ｉ／Ｆ２１１を用いて操作を行う際の操作画面などを表示する。
【００１６】
メモリ２１２は、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等である。メモリ２１２には、例えば、制御装置２００の各構成要素を制御するためのプログラムなどが格納されている。
【００１７】
処理回路２１０は、操作検出部２０１、使用エリア設定部２０２、映像出力部２０３、映像処理部２０４、表示装置制御部２０５，２０６を備える。
【００１８】
映像出力部２０３は、監視映像等の映像を生成する。映像処理部２０４は、映像出力部２０３が出力する映像の映像処理を行い、ディスプレイウォール１００に出力する。操作検出部２０１は、ユーザが操作Ｉ／Ｆ２１１を用いて行った操作の内容を検出する。使用エリア設定部２０２は、後述する使用エリア１００ｂを設定する。表示装置制御部２０５は、使用エリア設定部２０２に制御され、ディスプレイウォール１００を制御することによって表示画面１００ａに映像を表示させる。表示装置制御部２０６は、表示装置２１６を制御することによって、表示装置２１６に映像を表示させる。
【００１９】
なお、操作検出部２０１、使用エリア設定部２０２、映像出力部２０３、映像処理部２０４、および表示装置制御部２０５，２０６の各機能は、処理回路２１０により実現される。処理回路２１０は、専用のハードウェアであっても、メモリ２１２に格納されるプログラムを実行するＣＰＵ（Central Processing Unit、中央処理装置、処理装置、演算装置、マイクロプロセッサ、マイクロコンピュータ、プロセッサ、ＤＳＰともいう）であってもよい。
【００２０】
処理回路２１０が専用のハードウェアである場合、処理回路２１０は、例えば、単一回路、複合回路、プログラム化したプロセッサ、並列プログラム化したプロセッサ、ＡＳＩＣ、ＦＰＧＡ、またはこれらを組み合わせたものが該当する。操作検出部２０１、使用エリア設定部２０２、映像出力部２０３、映像処理部２０４、および表示装置制御部２０５，２０６の各部の機能をまとめて処理回路２１０で実現してもよいし、各部の機能それぞれを異なる処理回路で実現しても良い。
【００２１】
処理回路２１０がＣＰＵの場合、操作検出部２０１、使用エリア設定部２０２、映像出力部２０３、映像処理部２０４、および表示装置制御部２０５，２０６の各機能はソフトウェア、ファームウェア、またはソフトウェアとファームウェアとの組み合わせにより実現される。ソフトウェアやファームウェアはプログラムとして記述され、メモリ２１２に格納される。処理回路２１０は、メモリ２１２に記憶されたプログラムを読み出して実行することにより、各部の機能を実現する。また、このプログラムは、操作検出部２０１、使用エリア設定部２０２、映像出力部２０３、映像処理部２０４、および表示装置制御部２０５，２０６の手順や方法をコンピュータに実行させるものであるともいえる。
【００２２】
なお、操作検出部２０１、使用エリア設定部２０２、映像出力部２０３、映像処理部２０４、および表示装置制御部２０５，２０６の各機能について、一部を専用のハードウェアで実現し、一部をソフトウェアまたはファームウェアで実現するようにしてもよい。
【００２３】
＜映像表示システムの動作＞
本実施の形態に係る映像表示システム１０では、例えば、ユーザがディスプレイウォール１００の表示画面１００ａ全体に映像を表示する必要が無い場合などには、表示画面１００ａにおける映像を表示するために使用する使用エリア１００ｂが使用エリア設定部２０２によって設定される。以下、使用エリア１００ｂが設定される場合、使用エリア１００ｂが設定されない場合それぞれにおける、ディスプレイウォール１００が映像を表示する動作について説明する。
【００２４】
＜使用エリアが設定されない場合（通常時）＞
まず、使用エリア設定部２０２が使用エリア１００ｂを設定しない通常時における、ディスプレイウォール１００が映像を表示する動作について説明する。使用エリア設定部２０２は、使用エリア１００ｂを特に設定しない場合には、表示装置制御部２０５を介して、ディスプレイウォール１００が有する全ての表示装置１０１〜１１５をＬＡＮやＲＳ−２３２Ｃ等で制御し、全ての表示装置１０１〜１１５の電源をＯＮにする。
【００２５】
また、使用エリア設定部２０２は、映像出力部２０３にて生成された映像が表示画面１００ａ全体に表示されるように映像処理部２０４を制御し、映像処理部２０４は映像出力部２０３にて生成された映像を示す映像信号をディスプレイウォール１００に出力する。ディスプレイウォール１００は、映像処理部２０４より入力される映像信号に基づいて映像を表示する、これにより、ディスプレイウォール１００の９６００×３２４０ピクセルの表示画面１００ａ全体に映像が表示される。図２は、本発明の実施の形態１に係るディスプレイウォール１００が表示画面１００ａ全体に映像４００を表示する様子を示す図である。図２の例では、図形４０ａ〜４０ｃを含む映像４００が表示画面１００ａ全体に表示されている。
【００２６】
＜使用エリアが設定される場合＞
次に、使用エリア設定部２０２が使用エリア１００ｂを設定する場合における、ディスプレイウォール１００が映像を表示する動作について説明する。図３は、本発明の実施の形態１に係るディスプレイウォール１００が映像４１０を使用エリア１００ｂに表示する様子を示す図である。図３の例では、使用エリア１００ｂは、表示画面１００ａにおける、表示装置１０７〜１０９，１１２〜１１４がそれぞれ有する単位画面５０によって構成される領域の少し内側に設定されている。この場合、ディスプレイウォール１００は、図２に示されるような表示画面１００ａ全体に表示される映像４００が、使用エリア１００ｂの大きさに合わせて縮小された映像４１０を使用エリア１００ｂに表示する。
【００２７】
本実施の形態に係る映像表示システム１０において、ユーザは操作Ｉ／Ｆ２１１を用いて操作画面上で操作を行い、使用エリア設定部２０２に使用エリア１００ｂを設定させることができる。図４は、本発明の実施の形態１に係る、ユーザが使用エリア１００ｂを設定するための操作画面である使用エリア設定画面３００の一例を概略的に示す図である。なお、使用エリア設定画面３００は、表示装置２１６に表示されてもよいし、ディスプレイウォール１００に表示されてもよい。
【００２８】
図４に示されるように、使用エリア設定画面３００には、矩形３００ａ，３００ｂ、カーソル３０２、およびボタン３０３〜３０５が表示されている。
【００２９】
矩形３００ａは、ディスプレイウォール１００の表示画面１００ａを模した矩形であって、その大きさは表示画面１００ａの大きさと対応している。矩形３００ｂは使用エリア１００ｂに対応しており、矩形３００ａにおける矩形３００ｂの位置および大きさは、表示画面１００ａにおける使用エリア１００ｂの位置および大きさを示している。以下、矩形３００ｂを「設定エリア３００ｂ」とも呼ぶ。
【００３０】
ユーザは、例えば、操作Ｉ／Ｆ２１１を用いて使用エリア設定画面３００に表示されるカーソル３０２を操作することによって、矩形３００ａに対する設定エリア３００ｂの位置および大きさを変更することができる。この時、設定エリア３００ｂは、矩形３００ａ中の任意の位置および大きさに設定される。
【００３１】
ボタン３０３〜３０５は、ソフトウェアボタンであって、操作検出部２０１はボタン３０３〜３０５のそれぞれが押されたことを検出することによって、使用エリア設定部２０２の動作を制御する。
【００３２】
例えば、使用エリア設定部２０２は、操作検出部２０１によってボタン３０３が押されたことが検出されると、その時点での設定エリア３００ｂの位置および大きさに基づいて、使用エリア１００ｂの位置および大きさを決定する。
【００３３】
また、使用エリア設定部２０２は、操作検出部２０１によってボタン３０４が押されたことが検出されると、その時点での設定エリア３００ｂの位置および大きさに対応する使用エリア１００ｂの位置および大きさを示す情報をメモリ２１２に記憶する。また、使用エリア設定部２０２は、操作検出部２０１によってボタン３０５が押されたことが検出されると、メモリ２１２に記憶された使用エリア１００ｂの位置および大きさを示す情報を読み出すことによって使用エリア１００ｂを設定する。
【００３４】
以下、ボタン３０３〜３０５を、それぞれ、「実行ボタン３０３」、「保存ボタン３０４」「呼出ボタン３０５」とも呼ぶ。
【００３５】
＜使用エリアに映像を表示する動作＞
ディスプレイウォール１００が使用エリア１００ｂに映像４１０を表示する動作について説明する。図５は、本発明の実施の形態１に係るディスプレイウォール１００が使用エリア１００ｂに映像４１０を表示する動作を示すフローチャートである。
【００３６】
使用エリア設定画面３００において実行ボタン３０３が押されると、ステップＳ１において処理が開始される。
【００３７】
ステップＳ２において、使用エリア設定部２０２は、ユーザの操作によって設定された設定エリア３００ｂに基づいて、使用エリア１００ｂを設定する。具体的には、使用エリア設定部２０２は、使用エリア設定画面３００における矩形３００ａに対する設定エリア３００ｂの位置および大きさに基づいて、表示画面１００ａにおける使用エリア１００ｂの位置および大きさを設定する。なお、使用エリア１００ｂは、表示装置１０１〜１１５がそれぞれ有する単位画面５０の区切りによらず、設定エリア３００ｂに基づいて表示画面１００ａ中の任意の位置および大きさに設定される。
【００３８】
以下、図６，７を用いて、設定エリア３００ｂと使用エリア１００ｂとの対応関係について説明する。図６は、本発明の実施の形態１に係る使用エリア設定画面３００における設定エリア３００ｂの位置および大きさを示す図である。図７は、本発明の実施の形態１に係る表示画面１００ａにおける使用エリア１００ｂの位置および大きさを示す図である。
【００３９】
図６，７に示されるように、使用エリア設定画面３００に表示される表示画面１００ａを模した矩形３００ａの幅をＷｂ、高さをＨｂとする。また、矩形３００ａの左上隅を原点とする座標において、設定エリア３００ｂが、左上隅の座標（Ｘｕ，Ｙｕ）、幅Ｗｕ、高さＨｕに設定されたとする。この場合、実際のディスプレイウォール１００の表示画面１００ａの幅をＷａ、高さをＨａとすると、表示画面１００ａの左上隅を原点とする座標における使用エリア１００ｂの左上隅の座標（Ｘｄ，Ｙｄ）、幅Ｗｄ、高さＨｄは、次式（１）によって算出される。
【００４０】
【数１】
2018180431.tif 000003
【００４１】
図５のフローチャートにもどり、ステップＳ２において使用エリア１００ｂが設定されると、ステップＳ３が実行される。ステップＳ３において、使用エリア設定部２０２は、設定した使用エリア１００ｂの位置および大きさに基づいて、映像処理部２０４を制御する。映像処理部２０４は、使用エリア設定部２０２に制御されて、映像出力部２０３から出力される表示画面１００ａ全体に表示される映像４００が、使用エリア１００ｂの大きさに合わせて縮小された映像４１０となるように映像処理を行う。このとき、映像処理部２０４は、図３に示されるように、使用エリア１００ｂの周りの映像が黒映像５００（例えば、黒レベルの画像）になるように映像処理を行う。そして、ディスプレイウォール１００は、図３に示されるように、使用エリア設定部２０２で設定される使用エリア１００ｂに映像４１０を表示する。
【００４２】
例えば、使用エリア設定画面３００における、表示画面１００ａを模した矩形３００ａの大きさが（１６００，５４０）、設定エリア３００ｂの左上隅の座標が（３５０，２００）、大きさが（９００，３２０）で設定されると、実際の表示画面１００ａの大きさが（９６００，３２４０）である場合には、表示画面１００ａにおける座標（２１００，１２００）から座標（５４００，１９２０）の大きさとなる使用エリア１００ｂに映像４１０が表示され、残りの周りの部分は黒映像５００となる。
【００４３】
ここで、ディスプレイウォール１００を構成する表示装置１０１〜１１５のうち、単位画面５０の少なくとも一部が、使用エリア設定部２０２で設定される使用エリア１００ｂ内となる表示装置は、表示画面１００ａに表示される映像４００が縮小された映像４１０を当該使用エリア１００ｂに表示する。また、ディスプレイウォール１００を構成する表示装置１０１〜１１５のうち、単位画面５０の一部の領域が、使用エリア設定部２０２で設定される使用エリア１００ｂ外となる表示装置は、使用エリア１００ｂに映像４１０を表示するとともに、当該一部の領域に黒映像５００を表示する。
【００４４】
図５のフローチャートにもどり、ステップＳ３のあと、ステップＳ４〜Ｓ７のループ処理が実行される。ステップＳ４〜Ｓ７のループ処理では、ディスプレイウォール１００を構成する表示装置の台数分だけ、ステップＳ５，Ｓ６の処理が繰り返される。ここでは、ディスプレイウォール１００を構成する複数の表示装置のうちｎ台目（ｎは１以上の整数）の表示装置を「表示装置（ｎ）」として示す。本実施の形態では、ディスプレイウォール１００は、１５台の表示装置１０１〜１１５によって構成されており、ステップＳ５，Ｓ６の処理は、ｎ＝１からｎ＝１５まで繰り返される。
【００４５】
ステップＳ５において、使用エリア設定部２０２は、表示装置（ｎ）の単位画面５０の全ての領域が、設定された使用エリア１００ｂ外であるか否かを判定する。
【００４６】
ステップＳ５において、表示装置（ｎ）の単位画面５０が使用エリア１００ｂ外だと判定される場合には、ステップＳ６が実行される。ステップＳ６において、使用エリア設定部２０２は、表示装置制御部２０５を介して対象の表示装置（ｎ）を制御することによって、対象の表示装置（ｎ）の単位画面５０を消灯する。表示装置制御部２０５は、例えば、対象の表示装置（ｎ）の電源をＯＦＦにすることによって、対象の表示装置（ｎ）の単位画面５０を消灯する。なお、対象の表示装置（ｎ）がバックライトからの光を用いて映像を表示する表示装置である場合には、対象の表示装置（ｎ）のバックライトを消灯することによって、対象の表示装置（ｎ）の単位画面５０を消灯してもよい。
【００４７】
ステップＳ５において、表示装置（ｎ）の単位画面５０の全ての領域が使用エリア１００ｂ外にない、つまり、表示装置（ｎ）の単位画面５０の少なくとも一部が使用エリア１００ｂ内にあると判定される場合には、対象の表示装置（ｎ）に対してステップＳ６の処理は実行されない。ステップＳ４〜Ｓ７のループ処理が実行されると、ステップＳ８において一連の処理を終了する。
【００４８】
例えば、図３に示されるように使用エリア１００ｂが設定される場合には、表示装置１０１〜１０６，１１０，１１１，１１５のそれぞれが有する単位画面５０の全ての領域は使用エリア１００ｂ外となるため、使用エリア設定部２０２は、表示装置制御部２０５を介してこれらの表示装置の画面５０を消灯する。また、画面５０の少なくとも一部が使用エリア１００ｂ内となり映像４１０を表示する表示装置１０７〜１０９，１１２〜１１４それぞれの単位画面５０は消灯しない。
【００４９】
＜使用エリアの保存および呼出＞
本実施の形態に係る映像表示システム１０では、使用エリア１００ｂを示す情報を保存しておき、保存された使用エリア１００ｂを示す情報を呼出して使用エリア１００ｂを設定することができる。
【００５０】
ユーザは、図４に示される使用エリア設定画面３００において設定エリア３００ｂを設定した後、使用エリア設定画面３００において保存ボタン３０４を押すことによって、当該設定エリア３００ｂに対応する使用エリア１００ｂを示す情報を保存することができる。使用エリア設定部２０２は、操作検出部２０１によって保存ボタン３０４が押されたことが検出されると、その時点での設定エリア３００ｂに対応する使用エリア１００ｂの位置および大きさを示す情報を、メモリ２１２に記憶する。
【００５１】
次に、ユーザは、使用エリア設定画面３００において呼出ボタン３０５を押すことによって、メモリ２１２に記憶された使用エリア１００ｂを示す情報を呼出して使用エリア１００ｂを設定することができる。使用エリア設定部２０２は、操作検出部２０１によって呼出ボタン３０５が押されたことが検出されると、メモリ２１２に記憶された使用エリア１００ｂの位置および大きさを示す情報を読み出し、当該情報に基づいて使用エリア１００ｂを設定する。
【００５２】
なお、使用エリア設定部２０２が、メモリ２１２に使用エリア１００ｂを示す情報を複数記憶させておき、メモリ２１２に記憶された複数の使用エリア１００ｂを示す情報から選択して読みだすようにしても良い。また、使用エリア１００ｂを示す情報は、メモリ２１２に予め記憶されていてもよい。
【００５３】
上述のように、本実施の形態に係る映像表示システム１０では、ユーザは、ディスプレイウォール１００の表示画面１００ａ全体を使用する必要が無い場合に、操作Ｉ／Ｆ２１１を用いて使用エリア１００ｂを設定することによって、表示画面１００ａ全体に表示される映像４００が使用エリア１００ｂに合わせて縮小された映像４１０を使用エリア１００ｂに表示させることができる。また、使用エリア１００ｂ外となる表示装置の単位画面５０が消灯される。これにより、ユーザが映像を確認できるように映像を表示しつつ、システム全体の省電力化を達成できる。また、このシステムはカメラ等、特別な外部装置を用いない比較的簡単な構成によって実現することができる。
【００５４】
また、ディスプレイウォール１００を構成する表示装置の単位画面５０の区切りによらず、任意の位置および大きさで使用エリア１００ｂが設定され、使用エリア１００ｂ外の領域には黒映像５００が表示される。ここで、ディスプレイウォール１００を構成する表示装置が、複数個のＬＥＤが配列されてその点灯によって映像を表示するＬＥＤディスプレイ装置、またはローカルディミングが可能なＬＣＤディスプレイ装置等、黒映像を表示時の消費電力が、黒映像以外の映像を表示時の消費電力よりも低い表示装置である場合、任意の位置および大きさで使用エリア１００ｂが設定されることによって、必要な範囲を任意に残しつつ効率よく省電力化することができる。
【００５５】
具体的には、ディスプレイウォール１００を構成する表示装置がＬＥＤディスプレイ装置である場合には、黒映像５００を表示している領域はＬＥＤの発光がＯＦＦとなり電流が流れないため、消費電力を抑制することができる。また、ディスプレイウォール１００を構成する表示装置が、ローカルディミングが可能なＬＣＤディスプレイ装置である場合には、黒映像５００を表示している領域は、光源となるＬＥＤがＯＦＦまたは低消費電流で発光するため消費電力を抑制することができる。
【００５６】
また、本実施の形態に係る映像表示システム１０では、単位画面５０が使用エリア１００ｂ外となる表示装置の単位画面５０を消灯する処理を実行していたが、ディスプレイウォール１００を構成する表示装置が、上記のようなＬＥＤディスプレイ装置またはローカルディミングが可能なＬＣＤディスプレイ装置などの表示装置である場合には、単位画面５０を消灯する処理を省略し、黒映像５００を表示させることによっても省電力効果が得られる。
【００５７】
また、本実施の形態に係る映像表示システム１０では、使用エリア１００ｂを示す情報を記憶することができ、記憶された使用エリア１００ｂを示す情報を後から呼出して使用エリア１００ｂを設定することができることから、ユーザの操作の煩雑さを軽減することができる。
【００５８】
＜実施の形態２＞
実施の形態１では、表示画面１００ａ全体に表示される映像４００が使用エリア１００ｂの大きさに合わせて縮小された映像４１０が使用エリア１００ｂに表示されていたが、本実施の形態では、表示画面１００ａ全体に表示される映像４００における一部の領域の映像が使用エリア１００ｂに表示される。
【００５９】
図８は、本発明の実施の形態２に係る映像表示システム１０Ａの構成の一例を示すブロック図である。図８に示されるように、本実施の形態に係る映像表示システム１０Ａは、表示装置１００および制御装置２００Ａを備える。制御装置２００Ａは、実施の形態１に係る制御装置２００と比較して、処理回路２１０にかわり、表示エリア設定部２０７をさらに有する処理回路２１０Ａを備える。なお、実施の形態２において、実施の形態１と同様の構成要素については、同一符号を付して説明を省略する。
【００６０】
表示エリア設定部２０７は、表示画面１００ａ全体に表示される映像４００における、表示する部分となる表示エリア４００ａを設定する。図９は、本発明の実施の形態２に係る表示エリア４００ａを説明するための図である。図９に示されるように、表示エリア４００ａは、表示画面１００ａ全体に表示される映像４００における一部の領域として設定される。図９の例では、図形４０ｃの一部を含む領域が表示エリア４００ａとして設定されている。
【００６１】
なお、表示エリア設定部２０７の機能は、処理回路２１０Ａにより実現される。また、処理回路２１０Ａによって表示エリア設定部２０７の機能を実現する方法は、処理回路２１０によって操作検出部２０１などの機能を実現する方法と同様であるので説明を省略する。
【００６２】
表示エリア設定部２０７によって表示エリア４００ａが設定されると、ディスプレイウォール１００は、表示画面１００ａ全体に表示される映像４００における表示エリア４００ａの映像が使用エリア１００ｂの大きさに合わせて処理された映像を使用エリア１００ｂに表示する。図１０は、本発明の実施の形態２に係るディスプレイウォール１００が表示エリア４００ａの映像を使用エリア１００ｂに表示する様子を示す図である。図１０の例では、ディスプレイウォール１００は、表示画面１００ａ全体に表示される映像４００における表示エリア４００ａの映像が、使用エリア１００ｂに合わせて拡大された映像４２０を使用エリア１００ｂに表示する。
【００６３】
なお、表示エリア設定部２０７は、例えば、使用エリア設定部２０２が使用エリア設定画面３００でのユーザの操作に基づいて使用エリア１００ｂを設定するのと同様、操作画面上でのユーザの操作に基づいて、映像４００における表示エリア４００ａの位置および大きさを設定する。
【００６４】
また、表示エリア設定部２０７は、設定した表示エリア４００ａの位置および大きさに基づいて、映像処理部２０４を制御し、映像処理部２０４は、映像出力部２０３から出力される表示画面１００ａ全体に表示される映像４００における表示エリア４００ａの映像が、使用エリア１００ｂの大きさに合わせた映像４２０となるように拡大または縮小などの映像処理を行う。
【００６５】
上述のように、本実施の形態に係る映像表示システム１０Ａでは、表示エリア４００ａの映像が使用エリア１００ｂの大きさに合わせて処理された映像４２０を使用エリア１００ｂに表示するため、使用エリア１００ｂに表示される映像が必要以上に縮小されなくなるなど、ユーザが映像を確認しやすくなる。
【００６６】
なお、本発明は、その発明の範囲において、各実施の形態を自由に組み合わせたり、各実施の形態を適宜、変形、省略したりすることが可能である。
【符号の説明】
【００６７】
１０，１０Ａ  映像表示システム、４０ａ〜４０ｃ  図形、５０  画面（単位画面）、１００  表示装置（ディスプレイウォール）、１００ａ  表示画面、１００ｂ  使用エリア、１０１〜１１５  表示装置、２００，２００Ａ  制御装置、２０１  操作検出部、２０２  使用エリア設定部、２０３  映像出力部、２０４  映像処理部、２０５，２０６  表示装置制御部、２０７  表示エリア設定部、２１０，２１０Ａ  処理回路、２１１  操作Ｉ／Ｆ、２１２  メモリ、２１６  表示装置、３００  使用エリア設定画面、３００ａ  矩形、３００ｂ  矩形（設定エリア）、３０２  カーソル、３０３〜３０５  ボタン、４００，４１０，４２０  映像、４００ａ  表示エリア、５００  黒映像。
【図１】
2018180431.tif 000004
【図２】
2018180431.tif 000005
【図３】
2018180431.tif 000006
【図４】
2018180431.tif 000007
【図５】
2018180431.tif 000008
【図６】
2018180431.tif 000009
【図７】
2018180431.tif 000010
【図８】
2018180431.tif 000011
【図９】
2018180431.tif 000012
【図１０】
2018180431.tif 000013